【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
ネットワークステーションにおいて、第１のネットワークプロトコルから第２のネットワークプロトコルにポイントツーポイントネットワーク接続を切り替える方法であって、
前記第１のネットワークプロトコルに従って第１の通信を第１のドライバによって受信することと、
前記第２のネットワークプロトコルに従って第２の通信を受信するための接続を第２のドライバによって確立することと、
前記第２のネットワークプロトコルに従って前記第２の通信を受信することと、
前記受信された第１および第２の通信をマルチプレクサドライバによって多重化することと
を備え、ここにおいて、前記受信された第１および第２の通信を多重化することは、
前記第１のドライバからのまたは第２のドライバからの前記通信を選択するかどうか決定するために、前記受信された第１および第２の通信を分析することと、
前記分析に基づいて、プロトコルスタックに前記受信された第１および第２の通信を選択的に提供することと
を備える、方法。
【請求項２】
前記第１の通信を受信することは、前記第１のネットワークプロトコルのための前記ドライバによって前記第１の通信を可能にすることを備え、
前記第２の通信を受信することは、前記第２のネットワークプロトコルのための前記ドライバによって前記第２の通信を可能にすることを備える、
請求項１に記載の方法。
【請求項３】
前記多重化することは、前記プロトコルスタックと、前記第１のネットワークプロトコルのための前記ドライバおよび前記第２のネットワークプロトコルのための前記ドライバとの間に前記マルチプレクサドライバを結合することを備える、請求項２に記載の方法。
【請求項４】
前記第１のネットワークプロトコルは、ＩＥＥＥ８０２．１１ｎまたは８０２．１１ａｃ無線ネットワークプロトコルを備え、前記第２のネットワークプロトコルは、ＩＥＥＥ８０２．１１ａｄネットワークプロトコルを備える、請求項１に記載の方法。
【請求項５】
前記プロトコルスタックは、インターネットプロトコル（ＩＰ）スタックを備える、請求項１に記載の方法。
【請求項６】
前記受信された第１および第２の通信を分析することは、前記第１の通信および前記第２の通信のスループット、品質、または能力のうちの少なくとも１つを決定することを備える、請求項１に記載の方法。
【請求項７】
前記受信された第１および第２の通信を選択的に提供することは、既存の接続を終了することなく前記通信を選択的に提供することを備える、請求項１に記載の方法。
【請求項８】
前記プロトコルスタックは、インターネットプロトコル（ＩＰ）スタックを備え、前記方法は、
前記第１のネットワークプロトコルに従って通信するために別のネットワークステーションへの第１の接続を確立することと、
前記ＩＰスタックに前記受信された第１の通信を提供することと、
前記第２のネットワークプロトコルに従って通信するために前記別のネットワークステーションへの第２の接続を確立することと、
をさらに備え、
ここにおいて、プロトコルスタックに前記受信された第１および第２の通信を選択的に提供することは、前記第２のネットワークプロトコルが、前記第１のネットワークプロトコルに対する改善である少なくとも１つの能力を提供する場合、前記ＩＰスタックに前記受信された第２の通信を提供することを備える、請求項１に記載の方法。
【請求項９】
通信システムであって、
少なくとも第１のネットワークプロトコルおよび第２のネットワークプロトコル上の通信が可能な第１のネットワークステーションを備え、前記第１のネットワークステーションは、
少なくとも１つのプロセッサと、
前記通信を容易にするためのプロトコルスタックと、
前記第１のネットワークプロトコルに従って通信するための第１のネットワークデバイスと、
前記第２のネットワークプロトコルに従って通信するための第２のネットワークデバイスと、
前記第１のネットワークデバイスおよび前記第２のネットワークデバイスと、前記プロトコルスタックとの間に結合されたマルチプレクサと
を備え、ここにおいて、前記マルチプレクサは、
前記第１のネットワークデバイスからおよび前記第１のネットワークデバイスへ、前記第１のネットワークプロトコルに従って通信を受信および送信し、
前記第２のネットワークデバイスからおよび前記第２のネットワークデバイスへ、前記第２のネットワークプロトコルに従って通信を受信および送信し、
前記第１のネットワークデバイスからのまたは第２のネットワークデバイスからの前記通信を選択するかどうか決定するために、前記第１のネットワークプロトコルに従って受信された第１の通信をおよび前記第２のネットワークプロトコルに従って第２の通信を分析することと、
前記分析に基づいて、プロトコルスタックに前記受信された第１および第２の通信を選択的に提供することと、
前記プロトコルスタックからおよび前記プロトコルスタックへ、前記第１および第２の通信のうちの前記選択された１つの通信を受信および送信する
ように構成される、通信システム。
【請求項１０】
前記第１および第２のネットワークプロトコルのうちの前記選択された１つは、最も高いスループットを有するネットワークプロトコルである、請求項９に記載のシステム。
【請求項１１】
前記第１および第２のネットワークプロトコルのうちの前記選択された１つは、最も高い品質を有するネットワークプロトコルである、請求項９に記載のシステム。
【請求項１２】
少なくとも前記第１のネットワークプロトコルおよび前記第２のネットワークプロトコル上の通信が可能な第２のネットワークステーションをさらに備え、前記第２のネットワークステーションは、前記第１のネットワークステーションに結合され、前記第１のネットワークプロトコルおよび前記第２のネットワークプロトコルのうちの少なくとも１つに従って前記第１のネットワークステーションと通信状態にある、請求項９に記載のシステム。
【請求項１３】
前記第１のネットワークステーションおよび前記第２のネットワークステーションは、前記第１および第２のネットワークプロトコルのうちの前記選択された１つに従って通信状態にある、請求項１２に記載のシステム。
【請求項１４】
前記第１のネットワークステーションは、高速セッション転送（ＦＳＴ）をサポートする、請求項９に記載のシステム。
【請求項１５】
請求項１乃至８のうちのいずれか一項に記載の方法の全てのステップをインプリメントするための、コンピュータ実行可能なプログラム命令を備える、コンピュータプログラム。
【手続補正２】
【補正対象書類名】明細書
【補正対象項目名】００５８
【補正方法】変更
【補正の内容】
【００５８】
[0065]その結果として、ここに説明された実施形態は、ネットワークステーションが、第１の通信プロトコル上の任意の既存のセッションを終了することなく、第１の通信プロトコルを介して通信することから、第２の通信プロトコルを介して通信することに切り替えることを可能にしうる。上記に提供された例は、例示にすぎず、限定するようには意図されない。当業者は、本開示の範囲内にあるように意図される、開示された実施形態と一致する他のシステムを容易に考案しうる。したがって、本願は、以下の特許請求の範囲のみによって限定される。
以下に、本願出願の当初の特許請求の範囲に記載された発明を付記する。
［Ｃ１］
第１のネットワークプロトコルから第２のネットワークプロトコルにポイントツーポイントネットワーク接続を切り替える方法であって、
前記第１のネットワークプロトコルに従って第１の通信を受信することと、
前記第２のネットワークプロトコルに従って第２の通信を受信するための接続を確立することと、
前記第２の通信を受信することと、
前記受信された第１および第２の通信を多重化することと
を備え、ここにおいて、前記受信された第１および第２の通信を多重化することは、
前記受信された第１および第２の通信を分析することと、
前記分析に基づいて、プロトコルスタックに前記受信された第１および第２の通信を選択的に提供することと
を備える、方法。
［Ｃ２］
前記第１の通信を受信することは、前記第１のネットワークプロトコルのためのドライバによって前記第１の通信を可能にすることを備え、
前記第２の通信を受信することは、前記第２のネットワークプロトコルのためのドライバによって前記第２の通信を可能にすることを備える、
Ｃ１に記載の方法。
［Ｃ３］
前記多重化することは、前記プロトコルスタックと、前記第１のネットワークプロトコルのための前記ドライバおよび前記第２のネットワークプロトコルのための前記ドライバとの間にマルチプレクサドライバを結合することを備える、Ｃ２に記載の方法。
［Ｃ４］
前記第１のネットワークプロトコルは、ＩＥＥＥ８０２．１１ｎまたは８０２．１１ａｃ無線ネットワークプロトコルを備え、前記第２のネットワークプロトコルは、ＩＥＥＥ８０２．１１ａｄネットワークプロトコルを備える、Ｃ１に記載の方法。
［Ｃ５］
前記プロトコルスタックは、インターネットプロトコル（ＩＰ）スタックを備える、Ｃ１に記載の方法。
［Ｃ６］
前記受信された第１および第２の通信を分析することは、前記第１の通信および前記第２の通信のスループット、品質、または能力のうちの少なくとも１つを決定することを備える、Ｃ１に記載の方法。
［Ｃ７］
前記受信された第１および第２の通信を選択的に提供することは、既存の接続を終了することなく前記通信を選択的に提供することを備える、Ｃ１に記載の方法。
［Ｃ８］
少なくとも第１のネットワークプロトコルおよび第２のネットワークプロトコルに従って通信を送信および受信する方法であって、
前記第１のネットワークプロトコルに従って通信するためにネットワークステーションへの第１の接続を確立することと、
インターネットプロトコル（ＩＰ）スタックと、前記第１のネットワークプロトコルおよび前記第２のネットワークプロトコルに従って通信を可能にする複数のドライバとの間にマルチプレクサドライバを結合することと、
前記第１のネットワークプロトコルに従って第１の通信を受信することと、
前記ＩＰスタックに前記受信された第１の通信を提供することと、
前記第２のネットワークプロトコルに従って通信するために前記ネットワークステーションへの第２の接続を確立することと、
前記第２のネットワークプロトコルに従って第２の通信を受信することと、
前記受信された第１および第２の通信を多重化することと、
前記第２のネットワークプロトコルが、前記第１のネットワークプロトコルに対する改善である少なくとも１つの能力を提供する場合、前記ＩＰスタックに前記受信された第２の通信を提供することと
を備える、方法。
［Ｃ９］
前記少なくとも１つの改善された能力は、改善されたスループットおよび改善された品質のうちの少なくとも１つを備える、Ｃ８に記載の方法。
［Ｃ１０］
前記受信された第１および第２の通信を多重化することは、前記第２のネットワークプロトコルが、前記第１のネットワークプロトコルに対する改善である少なくとも１つの能力を提供するかどうかを決定することを備える、Ｃ８に記載の方法。
［Ｃ１１］
前記第２のネットワークプロトコルが、前記第１のネットワークプロトコルに対する改善である少なくとも１つの能力を提供しない場合、前記ＩＰスタックに前記第１の通信を提供し続けることをさらに備える、Ｃ８に記載の方法。
［Ｃ１２］
前記第１のネットワークプロトコルは、ＩＥＥＥ８０２．１１ｎまたは８０２．１１ａｃ無線ネットワークプロトコルを備え、前記第２のネットワークプロトコルは、ＩＥＥＥ８０２．１１ａｄプロトコルを備える、Ｃ８に記載の方法。
［Ｃ１３］
通信システムであって、
少なくとも第１のネットワークプロトコルおよび第２のネットワークプロトコル上の通信が可能な第１のネットワークステーションを備え、前記第１のネットワークステーションは、
少なくとも１つのプロセッサと、
前記通信を容易にするためのプロトコルスタックと、
前記第１のネットワークプロトコルに従って通信するための第１のネットワークデバイスと、
前記第２のネットワークプロトコルに従って通信するための第２のネットワークデバイスと、
前記第１のネットワークデバイスおよび前記第２のネットワークデバイスと、前記プロトコルスタックとの間に結合されたマルチプレクサと
を備え、ここにおいて、前記マルチプレクサは、
前記第１のネットワークデバイスからおよび前記第１のネットワークデバイスへ、前記第１のネットワークプロトコルに従って通信を受信および送信し、
前記第２のネットワークデバイスからおよび前記第２のネットワークデバイスへ、前記第２のネットワークプロトコルに従って通信を受信および送信し、
前記プロトコルスタックからおよび前記プロトコルスタックへ、前記第１および第２のネットワークプロトコルのうちの選択された１つに従って通信を受信および送信する
ように構成される、通信システム。
［Ｃ１４］
前記第１および第２のネットワークプロトコルのうちの前記選択された１つは、最も高いスループットを有するネットワークプロトコルである、Ｃ１３に記載のシステム。
［Ｃ１５］
前記第１および第２のネットワークプロトコルのうちの前記選択された１つは、最も高い品質を有するネットワークプロトコルである、Ｃ１３に記載のシステム。
［Ｃ１６］
少なくとも前記第１のネットワークプロトコルおよび前記第２のネットワークプロトコル上の通信が可能な第２のネットワークステーションをさらに備え、前記第２のネットワークステーションは、前記第１のネットワークステーションに結合され、前記第１のネットワークプロトコルおよび前記第２のネットワークプロトコルのうちの少なくとも１つに従って前記第１のネットワークステーションと通信状態にある、Ｃ１３に記載のシステム。
［Ｃ１７］
前記第１のネットワークステーションおよび前記第２のネットワークステーションは、前記第１および第２のネットワークプロトコルのうちの前記選択された１つに従って通信状態にある、Ｃ１６に記載のシステム。
［Ｃ１８］
前記マルチプレクサは、前記第１のネットワークステーションが第２のネットワークステーションとの通信を確立したときに、前記第１のネットワークステーションにおいて可能にされるマルチプレクサドライバを備える、Ｃ１３に記載のシステム。
［Ｃ１９］
前記第１のネットワークデバイスは、前記第１のネットワークプロトコルに従って通信を可能にするドライバを備え、前記第２のネットワークデバイスは、前記第２のネットワークプロトコルに従って通信を可能にするドライバを備える、Ｃ１３に記載のシステム。
［Ｃ２０］
前記第１のネットワークステーションは、高速セッション転送（ＦＳＴ）をサポートする、Ｃ１３に記載のシステム。